(57)【要約】【課題】携帯しても容器内のミルクや飲料等が漏れ出すことなく、またペットボトル等にも簡単に装着できる乳首付きキャップを提供する。【解決手段】容器２の口部２ａに着脱自在なキャップ本体１と、キャップ本体１に取り付けられた乳首保持部材３と、乳首保持部材３に基部４ａが取り付けられた弾性体よりなる乳首４と、乳首保持部材３に開閉自在に枢着され、かつ乳首４を覆うように閉じた際、乳首４の先端を強制的に折り曲げて容器２内の液体が漏れるのを防止するカバー７とから構成したことから、容器２を誤って転倒させたり、外出の際容器２を携帯しても、乳首４より容器２内のミルクや飲料等が漏れ出すことがないため衣服等を汚す心配がないと共に、ペットボトルにも簡単に装着できるため、ペットボトル内の飲料を哺乳瓶に移し替えることなく乳幼児に飲ませることもできる。【選択図】　図１
2004041543.tif 000002
【特許請求の範囲】
【請求項１】
容器に装着して使用する乳首付きキャップであって、前記容器の口部に着脱自在なキャップ本体と、前記キャップ本体に取り付けられた乳首保持部材と、前記乳首保持部材に基部が取り付けられた弾性体よりなる乳首と、前記乳首保持部材に開閉自在に枢着され、かつ前記乳首を覆うように閉じた際、前記乳首の先端を強制的に折り曲げて前記容器内の液体が漏れるのを防止するカバーとを具備したことを特徴とする乳首付きキャップ。
【請求項２】
前記乳首保持部材内に筒状の中空軸を設けて、該中空軸の一端側と前記乳首保持部材の間で前記乳首の基部を挟着すると共に、前記中空軸の他端側に、下端が前記容器の内底部付近に達するチューブの上端を接続してなる請求項１に記載の乳首付きキャップ。
【請求項３】
前記キャップ本体に把手を設け、また前記乳首保持部材に別の把手を摺動回転自在に設けると共に、前記キャップ本体側の把手に対し、前記乳首保持部材側の把手を重ねた状態で収納できるようにしてなる請求項１または２に記載の乳首付きキャップ。
【請求項４】
前記カバーを透明な樹脂によりほぼ半球状に形成してなる請求項１ないし３の何れかに記載の乳首付きキャップ。
【発明の詳細な説明】
【０００１】
【発明の属する技術分野】
本発明は、例えば哺乳瓶や飲料の収容されたペットボトル等の容器に装着して使用する乳首付きキャップに関する。
【０００２】
【従来の技術】
従来乳幼児にミルクや牛乳を飲ませる際に使用する哺乳瓶には、乳首にゴミや雑菌等が付着するのを防止するキャップが付属している。
【０００３】
またペットボトル等に収容されたジュース等の飲料を乳幼児に飲ませる場合は、その都度ペットボトル等より哺乳瓶へ飲料を移し替えて乳幼児に与えている。
【０００４】
【発明が解決しようとする課題】
しかしながら、これら哺乳瓶やペットボトル等の容器に付着する従来のキャップは、乳首にゴミや雑菌等が付着するのを防止する目的で作られているため、哺乳瓶を誤って転倒させたり、外出する際、哺乳瓶にミルクや飲料等を入れた状態で携帯した場合、乳首よりミルクや飲料等が漏れ出して、キャップを開けた際漏れたミルクや飲料等により衣服等を汚してしまうなどの問題がある。
【０００５】
またペットボトル等に収容されたジュース等の飲料を哺乳瓶に移し替える場合、飲料の一部がこぼれて手や衣服等を汚すなどの問題もある。
【０００６】
本発明はかかる従来の問題を改善するためになされたもので、携帯しても容器内のミルクや飲料等が漏れ出すことなく、またペットボトル等にも簡単に装着できる乳首付きキャップを提供することを目的とするものである。
【０００７】
【課題を解決するための手段】
前記目的を達成するため本発明の乳首付きキャップは、容器に装着して使用する乳首付きキャップであって、容器の口部に着脱自在なキャップ本体と、キャップ本体に取り付けられた乳首保持部材と、乳首保持部材に基部が取り付けられた弾性体よりなる乳首と、乳首保持部材に開閉自在に枢着され、かつ乳首を覆うように閉じた際、乳首の先端を強制的に折り曲げて容器内の液体が漏れるのを防止するカバーとから構成したものである。
【０００８】
前記構成により、容器を誤って転倒させたり、外出の際容器を携帯しても、乳首より容器内のミルクや飲料等が漏れ出すことがないため衣服等を汚す心配がないと共に、乳首がカバーで覆われるため、乳首にゴミや雑菌が付着する心配もない。
【０００９】
またキャップ本体をペットボトルのような飲料の入った容器に装着することにより、容器内の飲料を哺乳瓶に移し替えることなく乳幼児に飲ませることができるため、移し替える手間が省けると同時に、移し替え中に飲料をこぼして手や衣服等を汚す心配もない。
【００１０】
前記目的を達成するため本発明の乳首付きキャップは、乳首保持部材内に筒状の中空軸を設けて、該中空軸の一端側と乳首保持部材の間で乳首の基部を挟着すると共に、中空軸の他端側に、下端が容器の内底部付近に達するチューブの上端を接続したものである。
【００１１】
前記構成により、乳幼児が乳首を強く引っ張っても抜けることがないため、乳首が乳幼児の喉に詰まったり、乳首を紛失する等の心配がない。
【００１２】
前記目的を達成するため本発明の乳首付きキャップは、キャップ本体に把手を設け、また乳首保持部材に別の把手を摺動回転自在に設けると共に、キャップ本体側の把手に対し、乳首保持部材側の把手を重ねた状態で収納できるようにしたものである。
【００１３】
前記構成により、容器内のミルクや飲料を飲む際、把手が容器の両側になるよう一方の把手を回動して乳幼児に把手を持たせることにより、両手で把手を持ってミルクや飲料等を飲むことができるため、全部飲むのに時間がかかっても疲れることが少ない上、両把手を重ねた状態で収納することにより、携帯する際把手が邪魔になることがない。
【００１４】
前記目的を達成するため本発明の乳首付きキャップは、カバーを透明な樹脂によりほぼ半球状に形成したものである。
【００１５】
前記構成により、カバーを閉じた際カバーの内面に沿って乳首の先端が折り曲げられるため、容器内のミルクや飲料等が乳首より漏れるのを確実に防止できると共に、半球状の透明なカバーで乳首を覆うことから、意匠的な外観も向上する。
【００１６】
【発明の実施の形態】
本発明の実施の形態を、図面を参照して詳述する。
【００１７】
図１は乳首を収納した状態の断面図、図２は図１のＡ方向からの矢視図、図３は使用状態の断面図、図４は図３のＢ方向からの矢視図、図５は図２のＣ方向からの矢視図、図６は図３のＤ方向からの矢視図である。
【００１８】
キャップ１は哺乳瓶やペットボトル等の容器２の口部２ａに形成されたねじ部２ｂに着脱自在に螺挿可能な筒状の装着部１ａを有しており、この装着部１ａの内周面に、口部２ａの外周面に形成されたねじ部２ｂに螺合するねじ部１ｂが形成されている。
【００１９】
装着部１ａの上部には、小径部１ｃが一体形成されていて、この小径部１ｃの外周面に形成されたねじ部１ｄに乳首保持部材３の筒状部３ａが螺合されている。
【００２０】
乳首保持部材３は、筒状部３ａと筒状部３ａの上端部に水平方向に突設されたほぼハート形の鍔部３ｂとよりなり、鍔部３ａの中心部に形成された取り付け口３ｃに乳首４の基部４ａが上方より圧入されている。
【００２１】
乳首４はシリコンゴム等の弾性体より一体成形されていて、先端部に小孔４ｂが穿設されており、基部４ａの外周部には環状溝４ｃが形成されていて、この環状溝４ｃは取り付け孔３ｃの内周面に突設された環状突起３ｄに嵌合されている。
【００２２】
また乳首４の基部４ａには、キャップ本体１の小径部１ｃに下端側が嵌挿された中空軸５の上端側が下方より挿入されていて、この中空軸５の上端側外周面と、乳首保持部材３の筒状部３ａ内周面の間で乳首４の基部４ａを挟着しており、これによって乳首４に強い引っ張り力が作用しても、乳首保持部材３より乳首４が抜け外れないようになっている。
【００２３】
中空軸５には、ほぼ中間部にフランジ部５ａが突設されていて、このフランジ部５ａをキャップ本体１の小径部１ｃ上端と乳首４の下端との間で挟着することにより、キャップ本体１に対して中空軸５が固定されており、中空軸５の下部には容器２の口部２ａ内へ突出する小径な筒状のチューブ取り付け部５ｂが突設されていて、このチューブ取り付け部５ｂにチューブ６の上端が嵌着され、チューブ６の下端は容器２の内底部付近に達している。
【００２４】
なおチューブ取り付け部５ｂの外周面は、チューブ６が抜け外れないようほぼ波形に形成されている。
【００２５】
一方乳首保持部材３の鍔部３ｂには、乳首４を覆うカバー７が開閉自在に設けられている。
【００２６】
カバー７は例えば透明な樹脂により平面がほぼハート形の半球状に形成されていて、ヒンジ８により乳首保持部材３の鍔部３ｂに蝶着されている。
【００２７】
ヒンジ８は図４に示すように、鍔部３ｂの凹部付近より下方に向けて突設されていて、カバー７はヒンジ８を中心に図１及び図５に示す閉じた位置から、図３及び図６に示す開いた位置の範囲で開閉できるようになっており、カバー７を閉じた状態では、カバー７の開口部７ａが鍔部３ｂの外周縁に嵌合して、乳首４にゴミや雑菌等が付着するのを防止すると同時に、乳首４の先端を図２に示すようにカバー７の内周面に沿って強制的に折り曲げることにより、容器２を転倒させても、容器２内のミルクや飲料等が乳首４ｂの小孔４ｂより漏れ出さないようになっている。
【００２８】
またキャップ本体１の周辺には、ほぼＣ字形に形成された一対の把手９が設けられている。
【００２９】
これら把手９は図１に示すように、内外に重ねた状態で収納できる構造で、把持する際手が滑らないよう把持部９ａが波形に形成されていると共に、内側の把手９の上端部はキャップ本体１の装着部１ａ外周面に連設されていて、キャップ本体１を成形する際、キャップ本体１と一体成形されている。
【００３０】
外側の把手９の上端部には筒体９ｂが一体成形されていて、この筒体９ｂが乳首保持部材３の筒状部３ａ外周に摺動回転自在に嵌合されている。
【００３１】
筒体９ｂの下端には、内側に向けて環状のフランジ９ｃが突設されており、このフランジ９ｃをキャップ本体１の装着部１ａ上面と乳首保持部材３の筒状部３ａ下端面との間で挟着することにより、キャップ本体１に対して外側の把手９が摺動回転自在に保持されている。
【００３２】
次に前記構成された乳首付きキャップの作用を説明すると、乳幼児にミルクや牛乳等を飲ませる場合は、キャップ本体１の装着部１ａを哺乳瓶等の容器２に図３に示すように装着し、乳首４を覆っているカバー７を開放すると、弾性により乳首４が立ち上がるので、この状態で把手９が容器２の両側になるよう一方の把手９を回動し、乳幼児に把手９を持たせて飲用に供するもので、両手で把手９を持ってミルクや牛乳等を飲むことができるため、全部飲むのに時間がかかっても疲れることが少ない。
【００３３】
またペットボトル等の容器２に収容されたジュース等の飲料を飲ませる場合は、キャップ本体１の装着部１ａをペットボトル等の容器２の口部２ａに装着する。
【００３４】
これによって哺乳瓶のときと同様に乳首４により容器２内の飲料を飲ませることができると共に、飲料を哺乳瓶に移し替える必要がないので、飲料を誤ってこぼして衣服等を汚すなどの心配もない。
【００３５】
一方容器２内にミルクや飲料等を入れた状態で携帯する場合は、ヒンジ８を中心にカバー７を図１及び図２に示す位置まで閉じて、キャップ７の開口部７ａを乳首保持部材３の鍔部３ｂ外周に嵌合することにより、乳首４はカバー７に強制的に折り曲げられて先端側が閉塞されるため、携帯中に容器２内のミルクや飲料等が漏れ出すことがなく、これによってミルクや飲料等により衣服等を汚す心配がないと共に、家庭内で使用する場合でもカバー７を閉じておけば誤って容器２を転倒させてもミルクや飲料が漏れ出すことがない上、乳首４にゴミや雑菌が付着するのを防止することができるようになる。
【００３６】
尚、上記実施の形態においては、哺乳瓶等の容器２に乳首付きキャップを装着した状態について説明したが、例えば哺乳瓶等の容器２ｂに装着しなくても、この乳首付きキャップ単独で乳幼児のオシャブリとしても使用可能であることは言うまでもない。
【００３７】
また、上記実施の形態においては、乳幼児等を対象とした乳首付きキャップについて説明したが、例えばお年寄りの水分補給に同乳首付きキャップを使用すれば医療介護の貢献に寄与することができることは言うまでもない。
【発明の効果】
本発明は以上詳述したように、容器の口部に着脱自在なキャップ本体と、キャップ本体に取り付けられた乳首保持部材と、乳首保持部材に基部が取り付けられた弾性体よりなる乳首と、乳首保持部材に開閉自在に枢着され、かつ乳首を覆うように閉じた際、乳首の先端を強制的に折り曲げて容器内のミルクや飲料等が漏れるのを防止するカバーとから構成したことから、容器を誤って転倒させたり、外出の際容器を携帯しても、乳首より容器内のミルクや飲料等が漏れ出すことがないため衣服等を汚す心配がないと共に、乳首がカバーで覆われるため、乳首にゴミや雑菌が付着する心配もない。
【００３８】
またキャップ本体をペットボトルのような飲料の入った容器に装着することにより、容器内の飲料を哺乳瓶に移し替えることなく乳幼児に飲ませることができるため、移し替える手間が省けると同時に、移し替え中に飲料をこぼして手や衣服等を汚す心配もない。
【００３９】
さらに乳首保持部材内に筒状の中空軸を設けて、該中空軸の一端側と乳首保持部材の間で乳首の基部を挟着すると共に、中空軸の他端側に、下端が容器の内底部付近に達するチューブの上端を接続したことから、乳幼児が乳首を強く引っ張っても抜けることがないため、乳首が乳幼児の喉に詰まったり、乳首を紛失する等の心配がない。
【００４０】
またキャップ本体に把手を設け、また乳首保持部材に別の把手を摺動回転自在に設けると共に、キャップ本体側の把手に対し、乳首保持部材側の把手を重ねた状態で収納できるようにしたことから、容器内のミルクや飲料等を飲む際、把手が容器の両側になるよう一方の把手を回動して乳幼児に把手を持たせることにより、両手で把手を持ってミルクや飲料等を飲むことができるため、全部飲むのに時間がかかっても疲れることが少ない上、両把手を重ねた状態で収納することにより、携帯する際把手が邪魔になることがない。
【００４１】
しかもカバーを透明な樹脂によりほぼ半球状に形成したことから、カバーを閉じた際カバーの内面に沿って乳首の先端が折り曲げられるため、容器内のミルクや飲料等が乳首より漏れるのを確実に防止できると共に、半球状の透明なカバーで乳首を覆うことから、意匠的な外観も向上する
【図面の簡単な説明】
【図１】本発明の実施の形態になる乳首付きキャップの乳首収納状態を示す断面図である。
【図２】図１のＡ方向からの矢視図である。
【図３】本発明の実施の形態になる乳首付きキャップの使用状態を示す断面図である。
【図４】図３のＢ方向からの矢視図である。
【図５】図２のＣ方向からの矢視図である。
【図６】図３のＤ方向からの矢視図である。
【符号の説明】
１　　　容器本体
２　　　容器
２ａ　　口部
３　　　乳首保持部材
４　　　乳首
４ａ　　基部
５　　　中空軸
６　　　チューブ
７　　　カバー
９　　　把手
【図１】
2004041543.tif 000003
【図２】
2004041543.tif 000004
【図３】
2004041543.tif 000005
【図４】
2004041543.tif 000006
【図５】
2004041543.tif 000007
【図６】
2004041543.tif 000008